(57)【要約】本開示は、送信パワー調整方法、送信パワー調整装置、プログラム及び記録媒体に関し、ネットワーク機器分野に属する。前記送信パワー調整方法は、接続機器ＩＤを取得するステップと、接続機器ＩＤに対応する所定の無線送信パワーを取得するステップと、所定の無線送信パワーに基づいて、現在の送信パワーを調整するステップとを含む。本開示は、ルータの無線送信パワーの大きさを有効に調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。【選択図】図１
2016539599.tif 000002
【特許請求の範囲】
【請求項１】
ゲートウェイ装置に用いる送信パワー調整方法であって、
接続機器ＩＤを取得するステップと、
前記接続機器ＩＤに対応する所定の無線送信パワーを取得するステップと、
前記所定の無線送信パワーに基づいて、現在の送信パワー調整を調整するステップと、を含み、
各接続機器ＩＤはそれぞれの所定の無線送信パワーに対応する
ことを特徴とする送信パワー調整方法。
【請求項２】
前記接続機器ＩＤに対応する所定の無線送信パワーを取得するステップは、
前記接続機器ＩＤが２つ或いは２つ以上である場合、各接続機器ＩＤに対応する優先順位を照合するステップと、
優先順位の最も高い接続機器ＩＤに対応する所定の無線送信パワーを取得するステップと、を含み、
各接続機器ＩＤはそれぞれの優先順位に対応する
ことを特徴とする請求項１に記載の送信パワー調整方法。
【請求項３】
前記各接続機器ＩＤに対応する優先順位を照合するステップは、
現在時間を取得するステップと、
前記現在時間に対応する優先順位対応関係を取得するステップと、
前記現在時間に対応する優先順位対応関係から、各接続機器ＩＤに対応する優先順位を照合するステップと、を含み、
各時間帯はそれぞれの優先順位対応関係に対応し、前記優先順位対応関係は接続機器ＩＤと優先順位との対応関係である
ことを特徴とする請求項２に記載の送信パワー調整方法。
【請求項４】
さらに、
いずれかの接続機器ＩＤに対応する無線送信パワーを設定するための第１設定信号を受信するステップと、
前記第１設定信号に基づいて、前記接続機器ＩＤ及び前記接続機器ＩＤに対応する設定後の所定の無線送信パワーを記憶するステップと、を含む
ことを特徴とする請求項１〜３のいずれか１項に記載の送信パワー調整方法。
【請求項５】
さらに、
いずれかの接続機器ＩＤに対応する優先順位を設定するための第２設定信号を受信するステップと、
前記第２設定信号に基づいて、前記接続機器ＩＤ及び前記接続機器ＩＤに対応する設定後の優先順位を記憶するステップと、を含む
ことを特徴とする請求項２又は３に記載の送信パワー調整方法。
【請求項６】
さらに、
いずれかの接続機器ＩＤが目標時間帯に対応する優先順位を設定するための第３設定信号を受信するステップと、
前記第３設定信号に基づいて、前記目標時間帯に対応する、前記接続機器ＩＤ及び前記接続機器ＩＤに対応する設定後の優先順位を含む前記優先順位対応関係を生成するステップと、を含む
ことを特徴とする請求項３に記載の送信パワー調整方法。
【請求項７】
前記接続機器ＩＤを取得するステップは、
１つの接続機器が成功的に接続された後、接続済の各接続機器の接続機器ＩＤを取得するステップ、
又は、
所定時間ごとに、接続済の各接続機器の接続機器ＩＤを取得するステップを含む
ことを特徴とする請求項１〜３のいずれか１項に記載の送信パワー調整方法。
【請求項８】
前記所定の無線送信パワーに基づいて、現在の送信パワーを調整するステップは、
前記接続機器ＩＤに対応する、前記調整要請に基づいて調整に対する応答をフィードバックするための接続機器或いはマネージャ機器に調整要請を送信するステップと、
受信した前記調整応答が調整を許可することを示す場合、前記現在の送信パワーを前記所定の無線送信パワーに調整するステップと、を含む
ことを特徴とする請求項１〜３のいずれか１項に記載の送信パワー調整方法。
【請求項９】
ゲートウェイ装置に用いる送信パワー調整装置であって、
接続機器ＩＤを取得するためのＩＤ取得モジュールと、
前記接続機器ＩＤに対応する所定の無線送信パワーを取得するためのパワー取得モジュールと、
前記所定の無線送信パワーに基づいて、現在の送信パワーを調整するためのパワー調整モジュールと、を備え、
各接続機器ＩＤはそれぞれの所定の無線送信パワーに対応する
ことを特徴とする送信パワー調整装置。
【請求項１０】
前記パワー取得モジュールは、
前記接続機器ＩＤが２つ或いは２つ以上である場合、各接続機器ＩＤに対応する優先順位を照合するための優先順位照合サブモジュールと、
優先順位の最も高い接続機器ＩＤに対応する所定の無線送信パワーを取得するためのパワー取得サブモジュールと、を備え、
各接続機器ＩＤはそれぞれの優先順位に対応する
ことを特徴とする請求項９に記載の送信パワー調整装置。
【請求項１１】
前記優先順位照合サブモジュールは、
現在時間を取得するための時間取得サブモジュールと、
前記現在時間に対応する優先順位対応関係を取得するための優先順位取得サブモジュールと、
前記現在時間に対応する優先順位対応関係から、各接続機器ＩＤに対応する優先順位を照合するための優先順位照合サブモジュールと、を備え、
各時間帯はそれぞれの優先順位対応関係に対応し、前記優先順位対応関係は接続機器ＩＤと優先順位との対応関係である
ことを特徴とする請求項１０に記載の送信パワー調整装置。
【請求項１２】
さらに、
いずれかの接続機器ＩＤに対応する無線送信パワーを設定するための第１設定信号を受信するための第１受信モジュールと、
前記第１設定信号に基づいて、前記接続機器ＩＤ及び前記接続機器ＩＤに対応する設定後の所定の無線送信パワーを記憶するための第１記憶モジュールと、を備える
ことを特徴とする請求項９〜１１のいずれか１項に記載の送信パワー調整装置。
【請求項１３】
さらに、
いずれかの接続機器ＩＤに対応する優先順位を設定するための第２設定信号を受信するための第２受信モジュールと、
前記第２設定信号に基づいて、前記接続機器ＩＤ及び前記接続機器ＩＤに対応する設定後の優先順位を記憶するための第２記憶モジュールと、を備える
ことを特徴とする請求項１０又は１１に記載の送信パワー調整装置。
【請求項１４】
さらに、
いずれかの接続機器ＩＤが目標時間帯に対応する優先順位を設定するための第３設定信号を受信するための第３受信モジュールと、
前記第３設定信号に基づいて、前記目標時間帯に対応する、前記接続機器ＩＤ及び前記接続機器ＩＤに対応する設定後の優先順位を含む前記優先順位対応関係を生成するための優先順位生成モジュールと、を備える
ことを特徴とする請求項１１に記載の送信パワー調整装置。
【請求項１５】
前記ＩＤ取得モジュールは、
１つの接続機器が成功的に接続された後、接続済の各接続機器の接続機器ＩＤを取得するための第１取得サブモジュール、
又は、
所定時間ごとに、接続済の各接続機器の接続機器ＩＤを取得するための第２取得サブモジュールを備える
ことを特徴とする請求項９〜１１のいずれか１項に記載の送信パワー調整装置。
【請求項１６】
前記パワー調整モジュールは、
前記接続機器ＩＤに対応する、前記調整要請に基づいて調整に対する応答をフィードバックするための接続機器或いはマネージャ機器に調整要請を送信するための要請送信サブモジュールと、
受信した前記調整応答が調整を許可することを示す場合、前記現在の送信パワーを前記所定の無線送信パワーに調整するためのパワー調整サブモジュールと、を備える
ことを特徴とする請求項９〜１１のいずれか１項に記載の送信パワー調整装置。
【請求項１７】
プロセッサと、
前記プロセッサにより実行可能な指令を記憶するためのメモリとを含み、
前記プロセッサは、
接続機器ＩＤを取得し、
前記接続機器ＩＤに対応する所定の無線送信パワーを取得し、
前記所定の無線送信パワーに基づいて、現在の送信パワーを調整するように設定され、
各接続機器ＩＤはそれぞれの所定の無線送信パワーに対応する
ことを特徴とする送信パワー調整装置。
【発明の詳細な説明】
【相互参照】
【０００１】
本願は、出願番号がＣＮ２０１４１０４５９３２０．３であって、出願日が２０１４年９月１１日である中国特許出願に基づき優先権を主張し、当該中国特許出願のすべての内容を本願に援用する。
【技術分野】
【０００２】
本開示は、ネットワーク機器分野に関し、特に、送信パワー調整方法及び送信パワー調整装置に関する。
【背景技術】
【０００３】
ユーザの家庭内において、電子機器及びスマート家電が日々に普及していることに伴い、ルータは、日常生活の中、益々重要となっている。
【０００４】
ユーザの家庭内の電子機器及びスマート家電は、ＷＩＦＩ（Ｗｉｒｅｌｅｓｓ−Ｆｉｄｅｌｉｔｙ）ネットワークを介してルータに接続することができる。通常、ルータが周囲にＷＩＦＩ送信信号を送信することができ、電子機器は、当該ＷＩＦＩ送信信号を受信すると、ルータに無線接続要請を送信し、ルータが当該無線接続要請を成功的に検証した後、電子機器がルータの提供するＷＩＦＩネットワークに接続する。
【０００５】
本開示の実現において、上記手段によると、少なくとも、壁を透過する性能の保証を考慮するために、多くのルータが大きい無線送信パワーを用いるので、資源の浪費だけではなく、人間の健康にも影響を与えてしまう問題が存在する。
【発明の概要】
【０００６】
従来技術における多くのルータが大きい無線送信パワーを用いるので、資源の浪費だけではなく、人間の健康にも影響を与えてしまう問題を解決するために、本開示の実施例は、送信パワー調整方法及び送信パワー調整装置を提供した。前記技術方案は、以下のようである。
【０００７】
本開示の実施例に係る第１態様において、送信パワー調整方法を提供し、前記方法は、
接続機器ＩＤを取得するステップと、
前記接続機器ＩＤに対応する所定の無線送信パワーを取得するステップと、
前記所定の無線送信パワーに基づいて、現在の送信パワー調整を調整するステップと、を含み、
各接続機器ＩＤはそれぞれの所定の無線送信パワーに対応する。
【０００８】
一実施例において、前記接続機器ＩＤに対応する所定の無線送信パワーを取得するステップは、
前記接続機器ＩＤが２つ或いは２つ以上である場合、各接続機器ＩＤに対応する優先順位を照合するステップと、
優先順位の最も高い接続機器ＩＤに対応する所定の無線送信パワーを取得するステップと、を含み、
各接続機器ＩＤはそれぞれの優先順位に対応する。
【０００９】
一実施例において、前記各接続機器ＩＤに対応する優先順位を照合するステップは、
現在時間を取得するステップと、
前記現在時間に対応する優先順位対応関係を取得するステップと、
前記現在時間に対応する優先順位対応関係から、各接続機器ＩＤに対応する優先順位を照合するステップと、を含み、
各時間帯はそれぞれの優先順位対応関係に対応し、前記優先順位対応関係は接続機器ＩＤと優先順位との対応関係である。
【００１０】
選択的に、前記方法は、さらに、
いずれかの接続機器ＩＤに対応する無線送信パワーを設定するための第１設定信号を受信するステップと、
前記第１設定信号に基づいて、前記接続機器ＩＤ及び前記接続機器ＩＤに対応する設定後の所定の無線送信パワーを記憶するステップと、を含む。
【００１１】
選択的に、前記方法は、さらに、
いずれかの接続機器ＩＤに対応する優先順位を設定するための第２設定信号を受信するステップと、
前記第２設定信号に基づいて、前記接続機器ＩＤ及び前記接続機器ＩＤに対応する設定後の優先順位を記憶するステップと、を含む。
【００１２】
選択的に、前記方法は、さらに、
いずれかの接続機器ＩＤが目標時間帯に対応する優先順位を設定するための第３設定信号を受信するステップと、
前記第３設定信号に基づいて、前記目標時間帯に対応する、前記接続機器ＩＤ及び前記接続機器ＩＤに対応する設定後の優先順位を含む前記優先順位対応関係を生成するステップと、を含む。
【００１３】
一実施例において、接続機器ＩＤを取得するステップは、
１つの接続機器が成功的に接続された後、接続済の各接続機器の接続機器ＩＤを取得するステップ、
又は、
所定時間ごとに、接続済の各接続機器の接続機器ＩＤを取得するステップを含む。
【００１４】
一実施例において、前記所定の無線送信パワーに基づいて、現在の送信パワーを調整するステップは、
前記接続機器ＩＤに対応する、前記調整要請に基づいて調整に対する応答をフィードバックするための接続機器或いはマネージャ機器に調整要請を送信するステップと、
受信した前記調整応答が調整を許可することを示す場合、前記現在の送信パワーを前記所定の無線送信パワーに調整するステップと、を含む。
【００１５】
本開示の実施例に係る第２態様において、送信パワー調整装置を提供し、前記装置は、
接続機器ＩＤを取得するためのＩＤ取得モジュールと、
前記接続機器ＩＤに対応する所定の無線送信パワーを取得するためのパワー取得モジュールと、
前記所定の無線送信パワーに基づいて、現在の送信パワーを調整するためのパワー調整モジュールと、を備え、
各接続機器ＩＤはそれぞれの所定の無線送信パワーに対応する。
【００１６】
一実施例において、前記パワー取得モジュールは、
前記接続機器ＩＤが２つ或いは２つ以上である場合、各接続機器ＩＤに対応する優先順位を照合するための優先順位照合サブモジュールと、
優先順位の最も高い接続機器ＩＤに対応する所定の無線送信パワーを取得するためのパワー取得サブモジュールと、を備え、
各接続機器ＩＤはそれぞれの優先順位に対応する。
【００１７】
一実施例において、優先順位照合サブモジュールは、
現在時間を取得するための時間取得サブモジュールと、
前記現在時間に対応する優先順位対応関係を取得するための優先順位取得サブモジュールと、
前記現在時間に対応する優先順位対応関係から、各接続機器ＩＤに対応する優先順位を照合するための優先順位照合サブモジュールと、を備え、
各時間帯はそれぞれの優先順位対応関係に対応し、前記優先順位対応関係は接続機器ＩＤと優先順位との対応関係である。
【００１８】
選択的に、前記装置は、さらに、
いずれかの接続機器ＩＤに対応する無線送信パワーを設定するための第１設定信号を受信するための第１受信モジュールと、
前記第１設定信号に基づいて、前記接続機器ＩＤ及び前記接続機器ＩＤに対応する設定後の所定の無線送信パワーを記憶するための第１記憶モジュールと、を備える。
【００１９】
選択的に、前記装置は、さらに、
いずれかの接続機器ＩＤに対応する優先順位を設定するための第２設定信号を受信するための第２受信モジュールと、
前記第２設定信号に基づいて、前記接続機器ＩＤ及び前記接続機器ＩＤに対応する設定後の優先順位を記憶するための第２記憶モジュールと、を備える。
【００２０】
選択的に、前記装置は、さらに、
いずれかの接続機器ＩＤが目標時間帯に対応する優先順位を設定するための第３設定信号を受信するための第３受信モジュールと、
前記第３設定信号に基づいて、前記目標時間帯に対応する、前記接続機器ＩＤ及び前記接続機器ＩＤに対応する設定後の優先順位を含む前記優先順位対応関係を生成するための優先順位生成モジュールと、を備える。
【００２１】
一実施例において、ＩＤ取得モジュールは、
１つの接続機器が成功的に接続された後、接続済の各接続機器の接続機器ＩＤを取得するための第１取得サブモジュール、
又は、
所定時間ごとに、接続済の各接続機器の接続機器ＩＤを取得するための第２取得サブモジュールを備える。
【００２２】
一実施例において、パワー調整モジュールは、
前記接続機器ＩＤに対応する、前記調整要請に基づいて調整に対する応答をフィードバックするための接続機器或いはマネージャ機器に調整要請を送信するための要請送信サブモジュールと、
受信した前記調整応答が調整を許可することを示す場合、前記現在の送信パワーを前記所定の無線送信パワーに調整するためのパワー調整サブモジュールと、を備える。
【００２３】
本開示の実施例に係る第３態様において、送信パワー調整装置を提供し、前記装置は、
プロセッサと、
前記プロセッサにより実行可能な指令を記憶するためのメモリとを含み、
前記プロセッサは、
接続機器ＩＤを取得し、
前記接続機器ＩＤに対応する所定の無線送信パワーを取得し、
前記所定の無線送信パワーに基づいて、現在の送信パワーを調整するように設定され、
各接続機器ＩＤはそれぞれの所定の無線送信パワーに対応する。
【００２４】
本開示の実施例に係る技術方案は、以下の有益な効果を有することができる。
【００２５】
接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【００２６】
以上の一般的な記述及び以下の詳細な記述は、例示のものに過ぎず、本開示を限定するものではないと理解すべきである。
【図面の簡単な説明】
【００２７】
ここでの図面は、明細書の一部分として明細書全体を構成することにより、本開示に合致する実施例を例示するとともに、明細書を結合し本開示の原理を解釈するためのものである。
【００２８】
【図１】一実施例に係る送信パワー調整方法を例示的に示すフローチャートである。
【図２Ａ】もう一実施例に係る送信パワー調整方法を例示的に示すフローチャートである。
【図２Ｂ】もう一実施例に係る送信パワー調整方法による１つの画面を模式的に示す図である。
【図２Ｃ】もう一実施例に係る送信パワー調整方法によるもう１つの画面を模式的に示す図である。
【図３】他の一実施例に係る送信パワー調整方法を例示的に示すフローチャートである。
【図４】さらにもう一実施例に係る送信パワー調整方法を例示的に示すフローチャートである。
【図５】一実施例に係る送信パワー調整装置を例示的に示すブロック図である。
【図６】もう一実施例に係る送信パワー調整装置を例示的に示すブロック図である。
【図７】一実施例に係る装置を例示的に示すブロック図である。
【００２９】
本開示について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３０】
ここで、図面に示された例示的な実施例を詳細に説明する。以下の内容において、図面を言及びするとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３１】
本実施例で言及する送信パワーは、ゲートウェイ装置が無線ネットワークを提供する時の送信パワーのことを指し、それに対して、電子機器の場合、当該送信パワーは、電子機器の受信する信号強度であることを説明すべきである。ゲートウェイ装置は、ルータ或いはスイッチングハブであってもよい。
【００３２】
図１は、一実施例に係る送信パワー調整方法を例示的に示すフローチャートであり、本実施例は、当該送信パワー調整方法のゲートウェイ装置への適用を例に挙げて説明する。当該送信パワー調整方法は、以下のステップを含む。
【００３３】
ステップ１０２において、接続機器ＩＤを取得する。
【００３４】
ステップ１０４において、接続機器ＩＤに対応する所定の無線送信パワーを取得し、各接続機器ＩＤはそれぞれの所定の無線送信パワーに対応する。
【００３５】
ステップ１０６において、所定の無線送信パワーに基づいて、現在の送信パワーを調整する。
【００３６】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【００３７】
図２Ａは、もう一実施例に係る送信パワー調整方法を例示的に示すフローチャートであり、本実施例は、当該送信パワー調整方法のルータへの適用を例に挙げて説明する。当該送信パワー調整方法は、以下のステップを含む。
【００３８】
ステップ２０１において、いずれかの接続機器ＩＤに対応する無線送信パワーを設定するための第１設定信号を受信する。
【００３９】
例えば、ルータは、当該いずれかの接続機器ＩＤに対応する無線送信パワーを設定するための第１設定信号を受信する。
【００４０】
例えば、ユーザは、ネットページ或いは携帯電話のクライアント端でルータにログインして管理し、ネットページ或いは携帯電話のクライアント端でルータに接続機器ＩＤ  ａに該当する携帯電話に対応する無線送信パワーをａと設定するための第１設定信号を送信する。
【００４１】
また、ルータは、表１に示されたように、５つの選択可能な無線送信パワーレベルを予め提供する。
【００４２】
【表１】
2016539599.tif 000003
【００４３】
ユーザは、自分自身の所在する場所に応じて選択を行い、接続機器に該当する無線送信パワーレベルを設定することができ、当該無線送信パワーレベルに対応する無線送信パワーを当該接続機器に対応する無線送信パワーとする。
【００４４】
ステップ２０２において、第１設定信号に基づいて、接続機器ＩＤ及び接続機器ＩＤに対応する設定後の所定の無線送信パワーを記憶する。
【００４５】
ルータは、第１設定信号に基づいて、当該接続機器ＩＤ及び接続機器ＩＤに対応する設定後の所定の無線送信パワーを記憶する。
【００４６】
本実施例において、表２に示されるように、ルータは、第１設定信号に基づいて、携帯電話である接続機器ＩＤ  ａ及び当該接続機器ＩＤ  ａに対応する設定後の所定の無線送信パワーａを記憶する。
【００４７】
表２は、１つの接続機器のみが存在する場合を示し、ルータは、第１設定信号に基づいて、当該接続機器ＩＤ及び接続機器ＩＤに対応する設定後の所定の無線送信パワーを記憶する。
【００４８】
【表２】
2016539599.tif 000004
【００４９】
ステップ２０３において、接続機器ＩＤを取得する。
【００５０】
無線ネットワークに電子機器が接続されると、ルータは、接続機器ＩＤを取得する。接続機器ＩＤは、接続機器のＭＡＣ（Ｍｅｄｉａ Ａｃｃｅｓｓ Ｃｏｎｔｒｏｌ）アドレスであってもよい。
【００５１】
当該ステップ２０３は、以下の２種類の方法により実現されることができる。
【００５２】
一、１つの接続機器が成功的に接続した後、ルータは、接続済の各接続機器の接続機器ＩＤを取得する。
【００５３】
二、ルータは、所定時間ごとに、接続済の各接続機器の接続機器ＩＤを取得する。
【００５４】
なお、所定時間である時間間隔は、予めルータに対して設定してもよく、ユーザが使用状況に応じて設定してもよい。
【００５５】
本実施例において、ルータが接続機器ＩＤを取得する方法は、制限されない。
【００５６】
ステップ２０４において、接続機器ＩＤに対応する所定の無線送信パワーを取得し、各接続機器ＩＤはそれぞれの所定の無線送信パワーに対応する。
【００５７】
ルータは、接続機器ＩＤに対応する所定の無線送信パワーを取得し、各接続機器ＩＤはそれぞれの所定の無線送信パワーに対応する。異なる接続機器ＩＤは、同じ、又は異なる所定の無線送信パワーに対応してもよい。
【００５８】
接続機器が１つの携帯電話ａである場合、ルータは、携帯電話ａに対応する所定の無線送信パワーを取得する。
【００５９】
例えば、ルータは、表２において、携帯電話ａに対応する所定の無線送信パワーａ ｍＷを照合する。
【００６０】
ステップ２０５において、所定の無線送信パワーに基づいて、現在の送信パワーを調整する。
【００６１】
ルータは、取得した所定の無線送信パワーに基づいて、ルータの現在の送信パワーを調整する。ルータは、取得した所定の無線送信パワーに基づいて、直接に現在の送信パワーを調整する。ユーザを問い合わせした後、ユーザのフィードバックに基づいて現在の送信パワーを調整する。
【００６２】
ルータがユーザのフィードバックに基づいて現在の送信パワーを調整する場合、当該ステップ２０５は、以下のサブステップを含むが、これらに限定されない。
【００６３】
一、ルータは、接続機器ＩＤに対応する、調整要請に基づいて調整に対する応答をフィードバックするための接続機器或いはマネージャ機器に調整要請を送信する。
【００６４】
例えば、図２Ｂに示されるように、ルータは、携帯電話ａに調整要請を送信し、携帯電話ａの画面２０において、携帯電話ａがルータから送信された調整要請を受信した後に当該調整要請２１を表示する。ユーザが「キャンセル」ボタン２２をクリックすると、調整を許可しないことを示し、ユーザが「ＯＫ」ボタン２３をクリックすると、調整を許可することを示す。
【００６５】
また、ルータは、マネージャ機器に調整要請を送信してもよく、マネージャ機器がユーザの予め設定したある端末であってもよい。
【００６６】
二、受信した調整に対する応答が調整を許可することを示す場合、ルータは、現在の送信パワーを所定の無線送信パワーに調整する。
【００６７】
例えば、図２Ｃに示されるように、受信した携帯電話ａからの調整に対する応答が調整を許可することを示す場合、ルータは、現在の送信パワーを所定の無線送信パワーに調整し、携帯電話ａの画面２０で表示する場合、携帯電話ａの受信した信号強度２４がａに調整される。
【００６８】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【００６９】
本実施例に係る送信パワー調整方法は、さらに、１つの接続機器が成功的に接続された後、接続済の各接続機器の接続機器ＩＤを取得し、又は、所定時間ごとに接続済の各接続機器の接続機器ＩＤを取得することで、直ちに接続機器ＩＤを取得できる効果を奏し、ゲートウェイ装置の無線送信パワーを動態的に調整できる。
【００７０】
本実施例に係る送信パワー調整方法は、さらに、接続機器ＩＤに対応する接続機器或いはマネージャ機器に調整要請を送信し、受信した調整に対する応答が調整を許可することを示す場合、現在の送信パワーを所定の無線送信パワーに調整することで、ユーザに現在の送信パワーを所定の無線送信パワーに調整するか否かを問い合わせ、ユーザから許可を得た後に現在の送信パワーを調整する効果を奏し、ルータは、ユーザが調整する必要のない時に無線送信パワーを調整してしまうことを防ぐことができる。
【００７１】
図３は、他の一実施例に係る送信パワー調整方法を例示的に示すフローチャートであり、本実施例は、当該送信パワー調整方法のルータへの適用を例に挙げて説明する。当該送信パワー調整方法は、以下のステップを含む。
【００７２】
ステップ３０１において、いずれかの接続機器ＩＤに対応する無線送信パワーを設定するための第１設定信号を受信する。
【００７３】
例えば、ルータは、当該いずれかの接続機器ＩＤに対応する無線送信パワーを設定するための第１設定信号を受信する。
【００７４】
例えば、ユーザは、ネットページ或いは携帯電話のクライアント端でルータにログインして管理し、ネットページ或いは携帯電話のクライアント端でルータに接続機器ＩＤ  ａに該当する携帯電話に対応する無線送信パワーをａと設定するための第１設定信号を送信する。
【００７５】
また、ルータは、表１に示されたように、５つの選択可能な無線送信パワーレベルを予め提供する。
【００７６】
【表３】
2016539599.tif 000005
【００７７】
本実施例において、例えば、２つ或いは２つ以上の接続機器が存在し、ユーザは、携帯電話ａに対応する無線送信パワーをａに設定し、タブレットＰＣ  ｂに対応する無線送信パワーをｂに設定し、接続機器００１に対応する無線送信パワーをｃに設定し、接続機器００２に対応する無線送信パワーをｄに設定し、接続機器００３に対応する無線送信パワーをｅに設定する。
【００７８】
ステップ３０２において、第１設定信号に基づいて、接続機器ＩＤ及び接続機器ＩＤに対応する設定後の所定の無線送信パワーを記憶する。
【００７９】
ルータは、第１設定信号に基づいて、当該接続機器ＩＤ及び接続機器ＩＤに対応する設定後の所定の無線送信パワーを記憶する。
【００８０】
例えば、ルータは、第１設定信号に基づいて、携帯電話ａ及び当該携帯電話ａに対応する設定後の所定の無線送信パワーをａとして記憶し、タブレットＰＣ  ｂ及び当該タブレットＰＣ  ｂに対応する設定後の所定の無線送信パワーをｂとして記憶し、接続機器００１及び当該接続機器００１に対応する設定後の所定の無線送信パワーをｃとして記憶し、接続機器００２及び当該接続機器００２に対応する設定後の所定の無線送信パワーをｄとして記憶し、接続機器００３及び当該接続機器００３に対応する設定後の所定の無線送信パワーをｅとして記憶する。表３を参照する。
【００８１】
表３は、異なる接続機器ＩＤに対応する設定後の所定の無線送信パワーを示す。
【００８２】
【表４】
2016539599.tif 000006
【００８３】
ステップ３０３において、いずれかの接続機器ＩＤに対応する優先順位を設定するための第２設定信号を受信する。
【００８４】
ルータは、さらに、いずれかの接続機器ＩＤに対応する優先順位を設定するための第２設定信号を受信する。
【００８５】
表４は、異なる接続機器ＩＤに対応する優先順位を示す。
【００８６】
【表５】
2016539599.tif 000007
【００８７】
本実施例において、例えば、２つ或いは２つ以上の接続機器が存在し、表４に示されるように、携帯電話ａの優先順位が高く、タブレットＰＣｂの優先順位が最も高く、接続機器００１の優先順位が低く、接続機器００２の優先順位がより低く、接続機器００３の優先順位が最も低いため、当該第２設定信号は、携帯電話ａに対応する優先順位を「高い」に設定し、タブレットＰＣｂに対応する優先順位を「最も高い」に設定し、接続機器００１に対応する優先順位を「低い」に設定し、接続機器００２に対応する優先順位を「より低い」に設定し、接続機器００３に対応する優先順位を「最も低い」に設定する。
【００８８】
ステップ３０４において、第２設定信号に基づいて、接続機器ＩＤ及び接続機器ＩＤに対応する設定後の優先順位を記憶する。
【００８９】
ルータは、第２設定信号に基づいて、当該接続機器ＩＤ及び接続機器ＩＤに対応する設定後の優先順位を記憶する。
【００９０】
本実施例において、ルータは、第２設定信号に基づいて、当該携帯電話ａ及び携帯電話ａに対応する優先順位である「高い」を記憶し、当該タブレットＰＣｂ及びタブレットＰＣｂに対応する優先順位である「最も高い」を記憶し、当該接続機器００１及び接続機器００１に対応する優先順位である「低い」を記憶し、当該接続機器００２及び接続機器００２に対応する優先順位である「より低い」を記憶し、当該接続機器００３及び接続機器００３に対応する優先順位である「最も低い」を記憶する。
【００９１】
ステップ３０５において、接続機器ＩＤを取得する。
【００９２】
無線ネットワークに電子機器が接続されると、ルータは、接続機器ＩＤを取得する。接続機器ＩＤは、接続機器のＭＡＣアドレスであってもよい。
【００９３】
当該ステップ３０５は、以下の２種類の方法により実現されることができる。
【００９４】
一、１つの接続機器が成功的に接続した後、ルータは、接続済の各接続機器の接続機器ＩＤを取得する。
【００９５】
二、ルータは、所定時間ごとに、接続済の各接続機器の接続機器ＩＤを取得する。
【００９６】
なお、所定時間である時間間隔は、予めルータに対して設定してもよく、ユーザが使用状況に応じて設定してもよい。
【００９７】
本実施例において、ルータが接続機器ＩＤを取得する方法は、制限されない。
【００９８】
ステップ３０６において、接続機器ＩＤに対応する所定の無線送信パワーを取得し、各接続機器ＩＤはそれぞれの所定の無線送信パワーに対応する。
【００９９】
ルータは、接続機器ＩＤに対応する所定の無線送信パワーを取得し、各接続機器ＩＤはそれぞれの所定の無線送信パワーに対応する。
【０１００】
当該ステップ３０６は、以下のサブステップを含むが、これらに限定されない。
【０１０１】
一、接続機器ＩＤが２つ或いは２つ以上である場合、ルータは、接続済の各接続機器ＩＤに対応する優先順位を照合し、各接続機器ＩＤにはそれぞれの優先順位が対応する。
【０１０２】
例えば、同時に５つの接続機器が無線ネットワークを介して当該ルータに接続され、表５は、各接続機器ＩＤ、各接続機器ＩＤに対応する所定の無線送信パワー及び各接続機器ＩＤに対応する優先順位を示す。
【０１０３】
【表６】
2016539599.tif 000008
【０１０４】
二、優先順位の最も高い接続機器ＩＤに対応する所定の無線送信パワーを取得する。
【０１０５】
ルータは、優先順位の最も高い接続機器ＩＤを取得するとともに、優先順位の最も高い接続機器ＩＤに対応する所定の無線送信パワーを取得する。
【０１０６】
本実施例において、表５を参照し、ルータは、優先順位の最も高い接続機器である「タブレットＰＣ  ｂ」に対応する所定の無線送信パワーｂを取得する。
【０１０７】
ステップ３０７において、所定の無線送信パワーに基づいて、現在の送信パワーを調整する。
【０１０８】
ルータは、取得した所定の無線送信パワーに基づいて、現在の送信パワーを調整する。ルータは、取得した定無線送信パワーに基づいて、現在の送信パワーを直接に調整してもよく、ユーザを問い合わせした後、ユーザのフィードバックに基づいて現在の送信パワーを調整する。
【０１０９】
ルータがユーザのフィードバックに基づいて現在の送信パワーを調整する場合、当該ステップ３０７は、以下のサブステップを含むが、これらに限定されない。
【０１１０】
一、ルータは、接続機器ＩＤに対応する、調整要請に基づいて調整に対する応答をフィードバックするための接続機器或いはマネージャ機器に調整要請を送信する。
【０１１１】
例えば、タブレットＰＣ  ｂは、ルータから当該タブレットＰＣ  ｂに対応する接続機器或いはマネージャ機器に送信した調整要請を受信した後、タブレットＰＣｂの画面において、ダイアログが表示される。ユーザが「キャンセル」ボタンをクリックすると、調整を許可しないことを示し、ユーザが「ＯＫ」ボタンをクリックすると、調整を許可することを示す。
【０１１２】
また、ルータは、マネージャ機器に調整要請を送信してもよく、マネージャ機器がユーザの予め設定したある端末であってもよい。
【０１１３】
二、受信した調整に対する応答が調整を許可することを示す場合、ルータは、現在の送信パワーを所定の無線送信パワーに調整する。
【０１１４】
受信した電子機器からの調整に対する応答が調整を許可することを示す場合、ルータは、現在の送信パワーを所定の無線送信パワーに調整する。
【０１１５】
例えば、受信したタブレットＰＣ  ｂからの調整に対する応答が調整を許可する場合、ルータは、現在の送信パワーを所定の無線送信パワーに調整する。
【０１１６】
勿論、ルータの現在の送信パワーと照合した所定の無線送信パワーとが同様であると、ルータは、現在の送信パワーを調整する必要がない。
【０１１７】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【０１１８】
本実施例に係る送信パワー調整方法は、さらに、１つの接続機器が成功的に接続された後、接続済の各接続機器の接続機器ＩＤを取得し、又は、所定時間ごとに接続済の各接続機器の接続機器ＩＤを取得することで、直ちに接続機器ＩＤを取得できる効果を奏し、ゲートウェイ装置の無線送信パワーを動態的に調整できる。
【０１１９】
本実施例に係る送信パワー調整方法は、さらに、接続機器ＩＤに対応する接続機器或いはマネージャ機器に調整要請を送信し、受信した調整に対する応答が調整を許可することを示す場合、現在の送信パワーを所定の無線送信パワーに調整することで、ユーザに現在の送信パワーを所定の無線送信パワーに調整するか否かを問い合わせ、ユーザから許可を得た後に現在の送信パワーを調整する効果を奏し、ルータは、ユーザが調整する必要のない時に無線送信パワーを調整してしまうことを防ぐことができる。
【０１２０】
図４は、さらにもう一実施例に係る送信パワー調整方法を例示的に示すフローチャートであり、本実施例は、当該送信パワー調整方法のルータへの適用を例に挙げて説明する。当該送信パワー調整方法は、以下のステップを含む。
【０１２１】
ステップ４０１において、いずれかの接続機器ＩＤに対応する無線送信パワーを設定するための第１設定信号を受信する。
【０１２２】
例えば、ルータは、当該いずれかの接続機器ＩＤに対応する無線送信パワーを設定するための第１設定信号を受信する。
【０１２３】
例えば、ユーザは、ネットページ或いは携帯電話のクライアント端でルータにログインして管理し、ネットページ或いは携帯電話のクライアント端でルータに接続機器ＩＤ  ａに該当する携帯電話に対応する無線送信パワーをａと設定するための第１設定信号を送信する。
【０１２４】
また、例えば、ルータは、表１に示されたように、５つの選択可能な無線送信パワーレベルを予め提供する。
【０１２５】
【表７】
2016539599.tif 000009
【０１２６】
本実施例において、例えば、２つ或いは２つ以上の接続機器が存在し、ユーザは、携帯電話ａに対応する無線送信パワーをａに設定し、タブレットＰＣｂに対応する無線送信パワーをｂに設定し、コンピュータに対応する無線送信パワーをｆに設定し、ネットワークテレビに対応する無線送信パワーをｇに設定することができる。
【０１２７】
ステップ４０２において、第１設定信号に基づいて、接続機器ＩＤ及び接続機器ＩＤに対応する設定後の所定の無線送信パワーを記憶する。
【０１２８】
ルータは、第１設定信号に基づいて、当該接続機器ＩＤ及び接続機器ＩＤに対応する設定後の所定の無線送信パワーを記憶する。
【０１２９】
例えば、ルータは、第１設定信号に基づいて、携帯電話ａ及び当該携帯電話ａに対応する設定後の所定の無線送信パワーをａとして記憶し、タブレットＰＣ  ｂ及び当該タブレットＰＣ  ｂに対応する設定後の所定の無線送信パワーをｂとして記憶し、コンピュータ及び当該コンピュータに対応する設定後の所定の無線送信パワーをｆとして記憶し、ネットワークテレビ及び当該ネットワークテレビに対応する設定後の所定の無線送信パワーをｇとして記憶する。表７を参照する。
【０１３０】
表７は、接続機器ＩＤに対応する無線送信パワー、即ち接続機器ＩＤに対応する信号強度を示す。
【０１３１】
【表８】
2016539599.tif 000010
【０１３２】
ステップ４０３において、いずれかの接続機器ＩＤが目標時間帯に対応する優先順位を設定するための第３設定信号を受信する。
【０１３３】
ルータは、いずれかの接続機器ＩＤが目標時間帯に対応する優先順位を設定するための第３設定信号を受信する。
【０１３４】
表８は、接続機器ＩＤが目標時間帯に対応する優先順位を示す。
【０１３５】
【表９】
2016539599.tif 000011
【０１３６】
本実施例において、２つ或いは２つ以上の接続機器が存在し、異なる時間帯における接続機器ＩＤに対応する優先順位も異なる。例えば、昼の時間帯（８：００−２０：００）において、子供がタブレットＰＣ  ｂで教育番組を見るので、タブレットＰＣ  ｂに対応する優先順位が最も高い。父親がコンピュータで株を確認するので、コンピュータに対応する優先順位が比較的高く、母親が携帯電話ａでニュースを見るので、携帯電話ａに対応する優先順位が最も低い。また、例えば、夜の時間帯（０：００−８：００／２０：００−２４：００）において、両親がネットワークテレビを見るので、夜になると、ネットワークテレビに対応する優先順位が最も高く、子供がタブレットＰＣでゲームをやるので、タブレットＰＣに対応する優先順位が最も低い。
【０１３７】
ステップ４０４において、第３設定信号に基づいて、目標時間帯に対応する、接続機器ＩＤ及び接続機器ＩＤに対応する設定後の優先順位を含む優先順位対応関係を生成する。
【０１３８】
ルータは、第３設定信号に基づいて、目標時間帯に対応する、接続機器ＩＤ及び接続機器ＩＤに対応する設定後の優先順位を含む優先順位対応関係を生成する。
【０１３９】
例えば、当該優先順位対応関係は、表８を参照する。
【０１４０】
ステップ４０５において、接続機器ＩＤを取得する。
【０１４１】
無線ネットワークに電子機器が接続されると、ルータは、接続機器ＩＤを取得する。接続機器ＩＤは、接続機器のＭＡＣアドレスであってもよい。
【０１４２】
当該ステップ４０５は、以下の２種類の方法により実現されることができる。
【０１４３】
一、１つの接続機器が成功的に接続した後、ルータは、接続済の各接続機器の接続機器ＩＤを取得する。
【０１４４】
二、ルータは、所定時間ごとに、接続済の各接続機器の接続機器ＩＤを取得する。
【０１４５】
なお、所定時間である時間間隔は、予めルータに対して設定してもよく、ユーザが使用状況に応じて設定してもよい。
【０１４６】
本実施例において、ルータが接続機器ＩＤを取得する方法は、制限されない。
【０１４７】
ステップ４０６において、接続機器ＩＤに対応する所定の無線送信パワーを取得し、各接続機器ＩＤはそれぞれの所定の無線送信パワーに対応する。
【０１４８】
ルータは、接続機器ＩＤに対応する所定の無線送信パワーを取得し、各接続機器ＩＤはそれぞれの所定の無線送信パワーに対応する。
【０１４９】
当該ステップ４０６は、以下のサブステップを含むが、これらに限定されない。
【０１５０】
一、接続機器ＩＤが２つ或いは２つ以上である場合、各接続機器ＩＤに対応する優先順位を照合し、各接続機器ＩＤにはそれぞれの優先順位が対応する。
【０１５１】
接続機器ＩＤが２つ或いは２つ以上であると、ルータは、各接続機器ＩＤに対応する優先順位を照合し、各接続機器ＩＤにはそれぞれの優先順位が対応する。
【０１５２】
当該サブステップ１は、以下のサブステップを含むが、これらに限定されない。
【０１５３】
１、ルータは、現在時間を取得する。
【０１５４】
２、ルータは、現在時間に対応する優先順位対応関係を取得し、ここで、各時間帯はそれぞれの優先順位対応関係に対応し、当該優先順位対応関係は接続機器ＩＤと優先順位との対応関係である。
【０１５５】
本実施例において、ルータは、表８に記憶された優先順位対応関係に基づいて、各時間帯の優先順位対応関係を記憶する。
【０１５６】
３、現在時間に対応する優先順位対応関係から、各接続機器ＩＤに対応する優先順位を照合する。
【０１５７】
現在時間に対応する優先順位対応関係から、ルータは、各接続機器ＩＤに対応する優先順位を照合する。
【０１５８】
例えば、昼の時間帯（８：００−２０：００）において、子供がタブレットＰＣで教育番組を見るので、昼の時間帯において、ルータは、タブレットＰＣに対応する優先順位が最も高いと見つけ出し、一方、夜の時間帯（０：００−８：００／２０：００−２４：００）において、両親がネットワークテレビを見るので、夜の時間帯において、ルータは、ネットワークテレビに対応する優先順位が最も高いと見つけ出す。
【０１５９】
二、優先順位が最も高い接続機器ＩＤに対応する所定の無線送信パワーを取得する。
【０１６０】
ルータは、現在接続した接続機器の中、優先順位が最も高い接続機器ＩＤを取得するとともに、優先順位が最も高い接続機器ＩＤに対応する所定の無線送信パワーを取得する。
【０１６１】
本実施例において、例えば、４つの接続機器がすべてルータと接続され、表７及び表８を参照し、朝の時、ルータは、優先順位の最も高いタブレットＰＣ  ｂに対応する所定の無線送信パワーｂを取得し、夜の時、ルータは、優先順位の最も高い接続機器であるネットワークテレビに対応する所定の無線送信パワーｇを取得する。
【０１６２】
ステップ４０７において、所定の無線送信パワーに基づいて、現在の送信パワーを調整する。
【０１６３】
ルータは、取得した所定の無線送信パワーに基づいて、現在の送信パワーを調整する。ルータは、取得した所定の無線送信パワーに基づいて、現在の送信パワーを調整してもよい。ユーザを問い合わせした後、ユーザのフィードバックに基づいて現在の送信パワーを調整する。
【０１６４】
ルータがユーザのフィードバックに基づいて現在の送信パワーを調整する場合、当該ステップ４０７は、以下のサブステップを含むが、これらに限定されない。
【０１６５】
一、接続機器ＩＤに対応する、調整要請に基づいて調整に対する応答をフィードバックするための接続機器或いはマネージャ機器に調整要請を送信する。
【０１６６】
ルータは、接続機器ＩＤに対応する、調整要請に基づいて調整に対する応答をフィードバックするための接続機器或いはマネージャ機器に調整要請を送信する。
【０１６７】
例えば、タブレットＰＣ  ｂは、ルータからタブレットＰＣ  ｂに対応する接続機器或いはマネージャ機器に送信した調整要請を受信した後、タブレットＰＣ  ｂの画面において、ダイアログが表示される。ユーザが「キャンセル」ボタンをクリックすると、調整を許可しないことを示し、ユーザが「ＯＫ」ボタンをクリックすると、調整を許可することを示す。
【０１６８】
また、ルータは、マネージャ機器に調整要請を送信してもよく、マネージャ機器がユーザの予め設定したある端末であってもよい。
【０１６９】
二、受信した調整に対する応答が調整を許可することを示す場合、現在の送信パワーを所定の無線送信パワーに調整する。
【０１７０】
受信した電子機器からの調整に対する応答が調整を許可することを示す場合、ルータは、現在の送信パワーを所定の無線送信パワーに調整する。
【０１７１】
例えば、受信したタブレットＰＣ  ｂからの調整に対する応答が調整を許可する場合、ルータは、現在の送信パワーを所定の無線送信パワーに調整する。
【０１７２】
勿論、ルータの現在の送信パワーと照合した所定の無線送信パワーとが同様であると、ルータは、現在の送信パワーを調整する必要がない。
【０１７３】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【０１７４】
本実施例に係る送信パワー調整方法は、さらに、１つの接続機器が成功的に接続された後、接続済の各接続機器の接続機器ＩＤを取得し、又は、所定時間ごとに接続済の各接続機器の接続機器ＩＤを取得することで、直ちに接続機器ＩＤを取得できる効果を奏し、ゲートウェイ装置の無線送信パワーを動態的に調整する。
【０１７５】
本実施例に係る送信パワー調整方法は、さらに、接続機器ＩＤに対応する接続機器或いはマネージャ機器に調整要請を送信し、受信した調整に対する応答が調整を許可することを示す場合、現在の送信パワーを所定の無線送信パワーに調整することで、ユーザに現在の送信パワーを所定の無線送信パワーに調整するか否かを問い合わせ、ユーザから許可を得た後に現在の送信パワーを調整する効果を奏し、ルータは、ユーザが調整する必要のない時に無線送信パワーを調整してしまうことを防ぐことができる。
【０１７６】
以下は、本開示に係る装置の実施例であり、本開示に係る方法の実施例を実行することができる。本開示に係る装置の実施例は、詳細に説明せず、その詳細の内容は、本開示に係る方法の実施例を参照する。
【０１７７】
図５は、一実施例に係る送信パワー調整装置を例示的に示すブロック図であり、当該送信パワー調整装置は、ソフトウェア、ハードウェア或いは両者の組合せにより、例えば携帯電話、タブレットＰＣ、電子ブックリーダ、メディアプレーヤ及びＰＤＡ（Ｐｅｒｓｏｎａｌ Ｄｉｇｉｔａｌ Ａｓｓｉｓｔａｎｔ）等の電子機器の一部又は全部を実現する。当該送信パワー調整装置は、ＩＤ取得モジュール５２０、パワー取得モジュール５４０及びパワー調整モジュール５６０を含む。
【０１７８】
ＩＤ取得モジュール５２０は、接続機器ＩＤを取得する。
【０１７９】
パワー取得モジュール５４０は、接続機器ＩＤに対応する所定の無線送信パワーを取得し、各接続機器ＩＤはそれぞれの所定の無線送信パワーに対応する。
【０１８０】
パワー調整モジュール５６０は、所定の無線送信パワーに基づいて、現在の送信パワーを調整する。
【０１８１】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【０１８２】
図６は、もう１つの実施例に係る送信パワー調整装置を例示的に示すブロック図であり、当該送信パワー調整装置は、ソフトウェア、ハードウェア或いは両者の組合せにより、例えば携帯電話、タブレットＰＣ、電子ブックリーダー、メディアプレーヤー及びＰＤＡ（Ｐｅｒｓｏｎａｌ Ｄｉｇｉｔａｌ Ａｓｓｉｓｔａｎｔ）等の電子機器の一部又は全部を実現する。当該送信パワー調整装置は、ＩＤ取得モジュール６１０、パワー取得モジュール６２０、パワー調整モジュール６３０、第１信号受信モジュール６４０、第１記憶モジュール６５０、第２信号受信モジュール６６０、第２記憶モジュール６７０、第３信号受信モジュール６８０及び優先順位生成モジュール６９０を含む。
【０１８３】
選択的に、パワー取得モジュール６２０は、
接続機器ＩＤが２つ或いは２つ以上である場合、各接続機器ＩＤに対応する優先順位を照合するための優先順位照合サブモジュール６２１と、
優先順位の最も高い接続機器ＩＤに対応する所定の無線送信パワーを取得するためのパワー取得サブモジュール６２３と、を含み、ここで、各接続機器ＩＤにはそれぞれの優先順位が対応する。
【０１８４】
選択的に、優先順位照合サブモジュール６２１は、
現在時間を取得するための時間取得サブモジュール６２１ａと、
現在時間に対応する優先順位対応関係を取得するための優先順位取得サブモジュール６２１ｂと、
現在時間に対応する優先順位対応関係から、各接続機器ＩＤに対応する優先順位を照合するための優先順位照合サブモジュール６２１ｃと、を含み、ここで、
各時間帯はそれぞれの優先順位対応関係に対応し、優先順位対応関係は接続機器ＩＤと優先順位との対応関係である。
【０１８５】
第１受信モジュール６４０は、いずれかの接続機器ＩＤに対応する無線送信パワーを設定するための第１設定信号を受信する。
【０１８６】
第１記憶モジュール６５０は、第１設定信号に基づいて、接続機器ＩＤ及び接続機器ＩＤに対応する設定後の所定の無線送信パワーを記憶する。
【０１８７】
第２受信モジュール６６０は、いずれかの接続機器ＩＤに対応する優先順位を設定するための第２設定信号を受信する。
【０１８８】
第２記憶モジュール６７０は、第２設定信号に基づいて、接続機器ＩＤ及び接続機器ＩＤに対応する設定後の優先順位を記憶する。
【０１８９】
第３受信モジュール６８０は、いずれかの接続機器ＩＤが目標時間帯に対応する優先順位を設定するための第３設定信号を受信する。
【０１９０】
優先順位生成モジュール６９０は、第３設定信号に基づいて、目標時間帯に対応する、接続機器ＩＤ及び接続機器ＩＤに対応する設定後の優先順位を含む優先順位対応関係を生成する。
【０１９１】
選択的に、ＩＤ取得モジュール６１０は、
１つ接続機器が成功的に接続された後、接続済の各接続機器の接続機器ＩＤを取得するための第１取得サブモジュール６１０ａ、
又は、
所定時間ごとに接続済の各接続機器の接続機器ＩＤを取得するための第２取得サブモジュール６１０ｂを含む。
【０１９２】
選択的に、パワー調整モジュール６３０は、
接続機器ＩＤに対応する、調整要請に基づいて調整に対する応答をフィードバックするための接続機器或いはマネージャ機器に調整要請を送信するための要請送信サブモジュール６３０ａと、
受信した調整に対する応答が調整を許可することを示す場合、現在の送信パワーを所定の無線送信パワーに調整するためのパワー調整サブモジュール６３０ｂと、を含む。
【０１９３】
上記をまとめて、本実施例に係る送信パワー調整方法は、接続機器ＩＤを取得し、接続機器ＩＤに対応する所定の無線送信パワーを取得し、所定の無線送信パワーに基づいて、現在の送信パワーを調整することにより、多くのルータが大きい無線送信パワーを用い、資源の浪費、人体の健康にも影響を与えてしまう問題を解決し、ゲートウェイ装置がユーザのニーズに応じて、無線送信パワーを適正な無線送信パワーに調整する効果を奏する。
【０１９４】
本実施例に係る送信パワー調整方法は、さらに、１つの接続機器が成功的に接続された後、接続済の各接続機器の接続機器ＩＤを取得し、又は、所定時間ごとに接続済の各接続機器の接続機器ＩＤを取得することで、直ちに接続機器ＩＤを取得できる効果を奏し、ゲートウェイ装置の無線送信パワーを動態的に調整できる。
【０１９５】
本実施例に係る送信パワー調整方法は、さらに、接続機器ＩＤに対応する接続機器或いはマネージャ機器に調整要請を送信し、受信した調整に対する応答が調整を許可することを示す場合、現在の送信パワーを所定の無線送信パワーに調整することで、ユーザに現在の送信パワーを所定の無線送信パワーに調整するか否かを問い合わせ、ユーザから許可を得た後に現在の送信パワーを調整する効果を奏し、ルータは、ユーザが調整する必要のない時に無線送信パワーを調整してしまうことを防ぐことができる。
【０１９６】
上記実施例における装置について、各モジュールが操作を実行する具体的な方式は、既に該当する方法の実施例において詳細に説明したので、ここで、詳しく説明しない。
【０１９７】
図７は、一実施例に係る送信パワー調整の装置７００を例示的に示すブロック図である。
【０１９８】
例えば、装置７００は、携帯電話、コンピューター、デジタル送信端末、メッセージ送受信デバイス、ゲームコンソール、タブレットデバイス、医療機器、フィットネス機器、パーソナルデジタルアシスタント等であってもよい。
【０１９９】
図７を参照して、装置７００は、プロセスアセンブリ７０２、メモリ７０４、電源アセンブリ７０６、マルチメディアアセンブリ７０８、オーディオアセンブリ７１０、入出力（Ｉ／Ｏ）インターフェイス７１２、センサアセンブリ７１４、及び通信アセンブリ７１６のような一つ以上のアセンブリを含んでよい。
【０２００】
プロセスアセンブリ７０２は、一般的には装置７００の全体の操作を制御するものであり、例えば、表示、電話呼び出し、データ通信、カメラ操作、及び記録操作と関連する操作を制御する。プロセスアセンブリ７０２は、一つ以上のプロセッサ７２０を含み、これらによって命令を実行することにより、上記の方法の全部、或は一部のステップを実現するようにしてもよい。なお、プロセスアセンブリ７０２は、一つ以上のモジュールを含み、これらによってプロセスアセンブリ７０２と他のアセンブリの間のインタラクションを容易にするようにしてもよい。例えば、プロセスアセンブリ７０２は、マルチメディアモジュールを含み、これらによってマルチメディアアセンブリ７０８とプロセスアセンブリ７０２の間のインタラクションを容易にするようにしてもよい。
【０２０１】
メモリ７０４は、各種類のデータを記憶することにより装置７００の操作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２０２】
電源アセンブリ７０６は、装置７００の多様なアセンブリに電力を供給する。電源アセンブリ７０６は、電源管理システム、一つ以上の電源、及び装置７００のための電力の生成、管理及び割り当てに関連する他のアセンブリを含んでもよい。
【０２０３】
マルチメディアアセンブリ７０８は、前記装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ７０８は、一つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２０４】
オーディオアセンブリ７１０は、オーディオ信号を入出力するように構成されてもよい。例えば、オーディオアセンブリ７１０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりされる。上記の実施例において、オーディオアセンブリ７１０は、オーディオ信号を出力するための一つのスピーカーをさらに含む。
【０２０５】
Ｉ／Ｏインターフェイス７１２は、プロセスアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０２０６】
センサアセンブリ７１４は、装置７００に各方面の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、例えば、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ図像センサのような光センサを含んでもよい。上記の実施例において、当該センサアセンブリ７１４は、加速度センサ、ジャイロスコープセンサ、磁気センサ、圧力センサ、及び温度センサをさらに含んでもよい。
【０２０７】
通信アセンブリ７１６は、装置７００と他の機器の間に有線、又は无線形態の通信を提供する。装置７００は、例えばＷｉＦｉ、２Ｇ、３Ｇ、或はこれらの組み合わせのような、通信規格に基づいた无線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、前記通信アセンブリ７１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０２０８】
例示的な実施例において、装置７００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記１１、図２Ａ、図３又は図４に示した送信パワー調整方法を実行する。
【０２０９】
例示的な実施例において、さらに、命令を含む非一時的なコンピュータで読み取り可能な記憶媒体、例えば命令を含むメモリ７０４を提供しており、装置７００のプロセッサ７２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【０２１０】
非一時的なコンピュータで読み取り可能な記憶媒体は、当該記録媒体中の指令が装置７００のプロセッサによって実行される際に、１１、図２Ａ、図３又は図４に示した送信パワー調整方法を実行させることができる。
【０２１１】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０２１２】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016539599.tif 000012
【図２Ａ】
2016539599.tif 000013
【図２Ｂ】
2016539599.tif 000014
【図２Ｃ】
2016539599.tif 000015
【図３】
2016539599.tif 000016
【図４】
2016539599.tif 000017
【図５】
2016539599.tif 000018
【図６】
2016539599.tif 000019
【図７】
2016539599.tif 000020
【手続補正書】
【提出日】平成27年5月14日(2015.5.14)
【手続補正２】
【補正対象書類名】明細書
【補正対象項目名】０００２
【補正方法】変更
【補正の内容】
【０００２】
本開示は、ネットワーク機器分野に関し、特に、送信パワー調整方法、送信パワー調整装置、プログラム及び記録媒体に関する。
【手続補正３】
【補正対象書類名】明細書
【補正対象項目名】０００６
【補正方法】変更
【補正の内容】
【０００６】
従来技術における多くのルータが大きい無線送信パワーを用いるので、資源の浪費だけではなく、人間の健康にも影響を与えてしまう問題を解決するために、本開示の実施例は、送信パワー調整方法、送信パワー調整装置、プログラム及び記録媒体を提供した。前記技術方案は、以下のようである。
【手続補正４】
【補正対象書類名】明細書
【補正対象項目名】００２３
【補正方法】変更
【補正の内容】
【００２３】
本開示の実施例に係る第３態様において、送信パワー調整装置を提供し、前記装置は、
プロセッサと、
前記プロセッサにより実行可能な指令を記憶するためのメモリとを含み、
前記プロセッサは、
接続機器ＩＤを取得し、
前記接続機器ＩＤに対応する所定の無線送信パワーを取得し、
前記所定の無線送信パワーに基づいて、現在の送信パワーを調整するように設定され、
各接続機器ＩＤはそれぞれの所定の無線送信パワーに対応する。
本開示の実施例に係る第４態様において、プロセッサに実行されることにより、前記送信パワー調整方法を実現するプログラムを提供する。
本開示の実施例に係る第５態様において、前記プログラムを記録した記録媒体を提供する。
【手続補正５】
【補正対象書類名】明細書
【補正対象項目名】０１８２
【補正方法】変更
【補正の内容】
【０１８２】
図６は、もう１つの実施例に係る送信パワー調整装置を例示的に示すブロック図であり、当該送信パワー調整装置は、ソフトウェア、ハードウェア或いは両者の組合せにより、例えば携帯電話、タブレットＰＣ、電子ブックリーダー、メディアプレーヤー及びＰＤＡ（Ｐｅｒｓｏｎａｌ Ｄｉｇｉｔａｌ Ａｓｓｉｓｔａｎｔ）等の電子機器の一部又は全部を実現する。当該送信パワー調整装置は、ＩＤ取得モジュール６１０、パワー取得モジュール６２０、パワー調整モジュール６３０、第１受信モジュール６４０、第１記憶モジュール６５０、第２受信モジュール６６０、第２記憶モジュール６７０、第３受信モジュール６８０及び優先順位生成モジュール６９０を含む。
【手続補正６】
【補正対象書類名】特許請求の範囲
【補正対象項目名】全文
【補正方法】変更
【補正の内容】
【特許請求の範囲】
【請求項１】
ゲートウェイ装置に用いる送信パワー調整方法であって、
接続機器ＩＤを取得するステップと、
前記接続機器ＩＤに対応する所定の無線送信パワーを取得するステップと、
前記所定の無線送信パワーに基づいて、現在の送信パワー調整を調整するステップと、を含み、
各接続機器ＩＤはそれぞれの所定の無線送信パワーに対応する
ことを特徴とする送信パワー調整方法。
【請求項２】
前記接続機器ＩＤに対応する所定の無線送信パワーを取得するステップは、
前記接続機器ＩＤが２つ或いは２つ以上である場合、各接続機器ＩＤに対応する優先順位を照合するステップと、
優先順位の最も高い接続機器ＩＤに対応する所定の無線送信パワーを取得するステップと、を含み、
各接続機器ＩＤはそれぞれの優先順位に対応する
ことを特徴とする請求項１に記載の送信パワー調整方法。
【請求項３】
前記各接続機器ＩＤに対応する優先順位を照合するステップは、
現在時間を取得するステップと、
前記現在時間に対応する優先順位対応関係を取得するステップと、
前記現在時間に対応する優先順位対応関係から、各接続機器ＩＤに対応する優先順位を照合するステップと、を含み、
各時間帯はそれぞれの優先順位対応関係に対応し、前記優先順位対応関係は接続機器ＩＤと優先順位との対応関係である
ことを特徴とする請求項２に記載の送信パワー調整方法。
【請求項４】
さらに、
いずれかの接続機器ＩＤに対応する無線送信パワーを設定するための第１設定信号を受信するステップと、
前記第１設定信号に基づいて、前記接続機器ＩＤ及び前記接続機器ＩＤに対応する設定後の所定の無線送信パワーを記憶するステップと、を含む
ことを特徴とする請求項１〜３のいずれか１項に記載の送信パワー調整方法。
【請求項５】
さらに、
いずれかの接続機器ＩＤに対応する優先順位を設定するための第２設定信号を受信するステップと、
前記第２設定信号に基づいて、前記接続機器ＩＤ及び前記接続機器ＩＤに対応する設定後の優先順位を記憶するステップと、を含む
ことを特徴とする請求項２又は３に記載の送信パワー調整方法。
【請求項６】
さらに、
いずれかの接続機器ＩＤが目標時間帯に対応する優先順位を設定するための第３設定信号を受信するステップと、
前記第３設定信号に基づいて、前記目標時間帯に対応する、前記接続機器ＩＤ及び前記接続機器ＩＤに対応する設定後の優先順位を含む前記優先順位対応関係を生成するステップと、を含む
ことを特徴とする請求項３に記載の送信パワー調整方法。
【請求項７】
前記接続機器ＩＤを取得するステップは、
１つの接続機器が成功的に接続された後、接続済の各接続機器の接続機器ＩＤを取得するステップ、
又は、
所定時間ごとに、接続済の各接続機器の接続機器ＩＤを取得するステップを含む
ことを特徴とする請求項１〜３のいずれか１項に記載の送信パワー調整方法。
【請求項８】
前記所定の無線送信パワーに基づいて、現在の送信パワーを調整するステップは、
前記接続機器ＩＤに対応する、前記調整要請に基づいて調整に対する応答をフィードバックするための接続機器或いはマネージャ機器に調整要請を送信するステップと、
受信した前記調整応答が調整を許可することを示す場合、前記現在の送信パワーを前記所定の無線送信パワーに調整するステップと、を含む
ことを特徴とする請求項１〜３のいずれか１項に記載の送信パワー調整方法。
【請求項９】
ゲートウェイ装置に用いる送信パワー調整装置であって、
接続機器ＩＤを取得するためのＩＤ取得モジュールと、
前記接続機器ＩＤに対応する所定の無線送信パワーを取得するためのパワー取得モジュールと、
前記所定の無線送信パワーに基づいて、現在の送信パワーを調整するためのパワー調整モジュールと、を備え、
各接続機器ＩＤはそれぞれの所定の無線送信パワーに対応する
ことを特徴とする送信パワー調整装置。
【請求項１０】
前記パワー取得モジュールは、
前記接続機器ＩＤが２つ或いは２つ以上である場合、各接続機器ＩＤに対応する優先順位を照合するための優先順位照合サブモジュールと、
優先順位の最も高い接続機器ＩＤに対応する所定の無線送信パワーを取得するためのパワー取得サブモジュールと、を備え、
各接続機器ＩＤはそれぞれの優先順位に対応する
ことを特徴とする請求項９に記載の送信パワー調整装置。
【請求項１１】
前記優先順位照合サブモジュールは、
現在時間を取得するための時間取得サブモジュールと、
前記現在時間に対応する優先順位対応関係を取得するための優先順位取得サブモジュールと、
前記現在時間に対応する優先順位対応関係から、各接続機器ＩＤに対応する優先順位を照合するための優先順位照合サブモジュールと、を備え、
各時間帯はそれぞれの優先順位対応関係に対応し、前記優先順位対応関係は接続機器ＩＤと優先順位との対応関係である
ことを特徴とする請求項１０に記載の送信パワー調整装置。
【請求項１２】
さらに、
いずれかの接続機器ＩＤに対応する無線送信パワーを設定するための第１設定信号を受信するための第１受信モジュールと、
前記第１設定信号に基づいて、前記接続機器ＩＤ及び前記接続機器ＩＤに対応する設定後の所定の無線送信パワーを記憶するための第１記憶モジュールと、を備える
ことを特徴とする請求項９〜１１のいずれか１項に記載の送信パワー調整装置。
【請求項１３】
さらに、
いずれかの接続機器ＩＤに対応する優先順位を設定するための第２設定信号を受信するための第２受信モジュールと、
前記第２設定信号に基づいて、前記接続機器ＩＤ及び前記接続機器ＩＤに対応する設定後の優先順位を記憶するための第２記憶モジュールと、を備える
ことを特徴とする請求項１０又は１１に記載の送信パワー調整装置。
【請求項１４】
さらに、
いずれかの接続機器ＩＤが目標時間帯に対応する優先順位を設定するための第３設定信号を受信するための第３受信モジュールと、
前記第３設定信号に基づいて、前記目標時間帯に対応する、前記接続機器ＩＤ及び前記接続機器ＩＤに対応する設定後の優先順位を含む前記優先順位対応関係を生成するための優先順位生成モジュールと、を備える
ことを特徴とする請求項１１に記載の送信パワー調整装置。
【請求項１５】
前記ＩＤ取得モジュールは、
１つの接続機器が成功的に接続された後、接続済の各接続機器の接続機器ＩＤを取得するための第１取得サブモジュール、
又は、
所定時間ごとに、接続済の各接続機器の接続機器ＩＤを取得するための第２取得サブモジュールを備える
ことを特徴とする請求項９〜１１のいずれか１項に記載の送信パワー調整装置。
【請求項１６】
前記パワー調整モジュールは、
前記接続機器ＩＤに対応する、前記調整要請に基づいて調整に対する応答をフィードバックするための接続機器或いはマネージャ機器に調整要請を送信するための要請送信サブモジュールと、
受信した前記調整応答が調整を許可することを示す場合、前記現在の送信パワーを前記所定の無線送信パワーに調整するためのパワー調整サブモジュールと、を備える
ことを特徴とする請求項９〜１１のいずれか１項に記載の送信パワー調整装置。
【請求項１７】
プロセッサと、
前記プロセッサにより実行可能な指令を記憶するためのメモリとを含み、
前記プロセッサは、
接続機器ＩＤを取得し、
前記接続機器ＩＤに対応する所定の無線送信パワーを取得し、
前記所定の無線送信パワーに基づいて、現在の送信パワーを調整するように設定され、
各接続機器ＩＤはそれぞれの所定の無線送信パワーに対応する
ことを特徴とする送信パワー調整装置。
【請求項１８】
プロセッサに実行されることにより、請求項１〜８のいずれか１項に記載の送信パワー調整方法を実現することを特徴とするプログラム。
【請求項１９】
請求項１８に記載のプログラムが記録された記録媒体。
【国際調査報告】
2016539599.tif 000021
2016539599.tif 000022
2016539599.tif 000023
2016539599.tif 000024